(57)【要約】【課題】本発明は、情報受信端末と情報提供サーバとがネットワークを介して通信可能とされおり、情報受信端末より前記情報提供サーバに記事要約情報を登録することにより情報受信端末において情報提供サーバに登録した記事要約情報が随時更新される情報提供方法、及び、情報提供システム、情報提供サーバ、並びに、情報提供プログラムに関し、有効な記事を作成又は編集可能となる情報提供方法、及び、情報提供システム、情報提供サーバ、並びに、情報提供プログラムを提供することを目的とする。【解決手段】本発明は、情報受信端末と情報提供サーバとがネットワークを介して通信可能とされおり、情報受信端末より情報提供サーバに記事要約情報を登録することにより、情報受信端末において、情報提供サーバに登録した記事要約情報が随時更新される情報提供システムの情報提供方法であって、情報提供サーバにより情報受信端末による記事要約情報に対応する記事の参照状況を収集することを特徴とする。【選択図】図１
2007241638.tif 000002
【特許請求の範囲】
【請求項１】
情報受信端末と情報提供サーバとがネットワークを介して通信可能とされおり、前記情報受信端末より前記情報提供サーバに記事要約情報を登録し、前記情報受信端末により前記情報提供サーバに登録した前記記事要約情報を随時更新する情報提供システムの情報提供方法であって、
前記情報提供サーバは、前記情報受信端末による前記記事要約情報に対応する記事の参照状況を収集することを特徴とする情報提供システムの情報提供方法。
【請求項２】
前記情報提供サーバは、前記情報受信端末による前記記事の参照状況に応じて前記記事要約情報に対応する記事を編集することを特徴とする請求項１記載の情報提供システムの情報提供方法。
【請求項３】
前記情報提供サーバは、前記情報受信端末による前記記事の参照状況に応じて前記記事要約情報に含まれる要約記事を削除又は差し替え又は追加することを特徴とする請求項２記載の情報提供システムの情報提供方法。
【請求項４】
前記情報提供サーバは、前記情報受信端末による前記記事の参照状況に応じて前記記事要約情報に含まれる要約記事を編集したときに、前記記事の発信元に通知することを特徴とする請求項２記載の情報提供システムの情報提供方法。
【請求項５】
情報受信端末と情報提供サーバとがネットワークを介して通信可能とされおり、前記情報受信端末より前記情報提供サーバに記事要約情報を登録し、前記情報受信端末により前記情報提供サーバに登録した前記記事要約情報を随時更新する情報提供システムであって、
前記情報提供サーバは、前記情報受信端末による前記記事要約情報に対応する記事の参照状況を収集することを特徴とする情報提供システム。
【請求項６】
情報受信端末とネットワークを介して通信可能とされおり、前記情報受信端末により記事要約情報が登録されており、前記情報受信端末により登録された前記記事要約情報を随時更新する情報提供サーバであって、
前記情報受信端末による前記記事要約情報に対応する記事の参照状況を収集する参照状況収集手段を有することを特徴とする情報提供サーバ。
【請求項７】
前記参照状況収集手段で収集された前記情報受信端末による前記記事の参照状況に応じて前記記事要約情報に対応する記事を編集する編集手段を有することを特徴とする請求項６記載の情報提供サーバ。
【請求項８】
コンピュータに、情報受信端末により予め登録された記事要約情報に対応する記事の該情報受信端末装置による参照状況を収集させる参照状況収集手順を実行させるコンピュータ読み取り可能なプログラム。
【請求項９】
前記参照状況収集手段で収集された前記情報受信端末による前記記事の参照状況に応じて前記記事要約情報に対応する記事を編集する編集手段を有することを特徴とする請求項８記載のプログラム。
【発明の詳細な説明】
【技術分野】
【０００１】
本発明は、情報提供方法、及び、情報提供システム、情報提供サーバ、並びに、情報提供プログラムに係り、特に、情報受信端末と情報提供サーバとがネットワークを介して通信可能とされおり、情報受信端末より前記情報提供サーバに記事要約情報を登録することにより情報受信端末において情報提供サーバに登録した記事要約情報が随時更新される情報提供方法、及び、情報提供システム、情報提供サーバ、並びに、情報提供プログラムに関する。
【背景技術】
【０００２】
近年、ＲＳＳ（RDF Site Summary）と呼ばれる情報発信ツールが注目されている。ＲＳＳは、記述仕様がＲＤＦ（Resource Description Framework）であり、ＸＭＬ（Extensible Markup Language）で記述される。ＲＳＳには、ＵＲＩ（Uniform Resource Identifier)などのリンク情報を含み、そのリンク情報がそのままハイパーリンクされた形式とされている。情報発信者は、ＲＳＳ／ＲＤＦにより発信情報を作成する。
【０００３】
利用者は、ＲＳＳリーダと呼ばれるプログラムを端末にインストールして、このＲＳＳリーダにＲＳＳ／ＲＤＦをＵＲＩで登録する。ＲＳＳリーダは定期的にサーバからＲＳＳ／ＲＤＦを読み込み、端末にＲＳＳ／ＲＤＦで定義されているＵＲＩを表示する。利用者によって表示されたＵＲＩがクリックされると、ＲＳＳリーダはブラウザと同様に発信情報を表示する。これによって、利用者はクリックしたＵＲＩの発信情報を参照することができる。
【発明の開示】
【発明が解決しようとする課題】
【０００４】
従来、ＲＳＳシステムなどの情報発信ツールでは利用者が発信情報を参照しているのかどうか、また、利用者がどの発信情報をよく参照しているのかどうかを知ることはできなかった。このため、発信者は有効な発信情報を効率よく作成又は編集することが困難であった。
【０００５】
本発明は上記の点に鑑みてなされたもので、有効な記事を作成又は編集可能となる情報提供方法、及び、情報提供システム、情報提供サーバ、並びに、情報提供プログラムを提供することを目的とする。
【課題を解決するための手段】
【０００６】
本発明は、情報受信端末と情報提供サーバとがネットワークを介して通信可能とされおり、情報受信端末より情報提供サーバに記事要約情報を登録し、情報受信端末により情報提供サーバに登録した記事要約情報を随時更新する情報提供システムの情報提供方法であって、情報提供サーバにより情報受信端末による記事要約情報に対応する記事の参照状況を収集することを特徴とする。
【０００７】
また、本発明は、情報受信端末による記事の参照状況に応じて記事要約情報に対応する記事を編集することを特徴とする。
【０００８】
情報受信端末による記事の参照状況に応じて記事要約情報に含まれる要約記事を削除又は差し替え又は追加することを特徴とする。
【０００９】
情報受信端末による記事の参照状況に応じて記事要約情報に含まれる要約記事を編集したときにその旨、記事の発信元に通知することを特徴とする。
【発明の効果】
【００１０】
本発明によれば、情報提供サーバに登録した記事要約情報が随時更新される情報提供システムの情報提供方法であって、情報提供サーバにより情報受信端末による記事要約情報に対応する記事の参照状況を収集することにより、参照状況に応じて要約記事を編集でき、これによって、記事を充実させることが可能となる。
【発明を実施するための最良の形態】
【００１１】
〔システム構成〕
図１は本発明の一実施例のシステム構成図を示す。
【００１２】
本実施例の情報提供システム１００は、情報発信端末１１１、情報提供サーバ１１２、情報受信端末１１３がネットワーク１１４を介して通信可能な構成とされており、情報受信端末１１１にはＲＳＳリーダがインストールされており、情報受信端末１１１からＲＳＳリーダによって情報提供サーバ１１２に記事要約情報に相当するＲＳＳを登録し、情報受信端末１１１から定期的に情報提供サーバ１１２に登録したＲＳＳを要求し、情報受信端末１１１のＲＳＳを随時更新する構成とされている。
【００１３】
情報発信端末１１１は、コンピュータシステムから構成されており、ネットワーク１１４を介して情報提供サーバ１１２と通信を行い、発信者によって作成された発信情報１２１及びその編集条件情報１２２を情報提供サーバ１１２に登録する。
【００１４】
情報提供サーバ１１２は、コンピュータシステムから構成されており、全体制御手段１３１、ＲＳＳ登録手段１３２、ＲＳＳ編集手段１３３、ログ採取手段１３４、ログ編集手段１３５、発信情報記憶部１３６、編集条件情報記憶部１３７、ＲＳＳ構成情報記憶部１３８、ＲＳＳ利用情報記憶部１３９、ログ情報記憶部１４０、ドメイン変換情報記憶部１４１から構成されている。
【００１５】
全体制御手段１３１は、ネットワーク１１４との通信制御を行うとともに情報提供サーバ１１２全体の制御を行う。
【００１６】
ＲＳＳ登録手段１３２は、全体制御手段１３１により制御されて、情報発信端末１１１から提供された発信情報を発信情報記憶部１３６に登録するとともに、情報発信端末１１１から発信情報とともに提供された編集条件情報を編集条件情報記憶部１３７に登録する。
【００１７】
また、ＲＳＳ登録手段１３２は、発信情報の構成情報をＲＳＳ構成情報記憶部１３８に記憶する。構成情報は、例えば、ＲＳＳ／ＲＤＦで定義されているＵＲＩを含む構成とされている。
【００１８】
ＲＳＳ編集手段１３３は、情報受信端末１１３からの定期的に発行される構成情報要求によりＲＳＳ構成情報記憶部１３８に記憶されたＲＳＳ構成情報を情報受信端末１１３に提供する。また、ＲＳＳ編集手段１３３は、情報受信端末１１３からの発信情報要求に基づいて発信情報記憶部１３６から発信情報を読み出し、情報受信端末１１３に提供する。
【００１９】
また、ＲＳＳ編集手段１３３は、ＲＳＳ利用情報記憶部１３９に記憶されたＲＳＳ利用情報と編集条件情報記憶部１３７に記憶された編集条件情報とに基づいて発信情報を削除するなどのＲＳＳ編集処理を実行する。
【００２０】
また、ログ採取手段１３４は、情報受信端末１１３から要求された発信情報のログを採取し、ログ情報記憶部１４０を更新する。また、ログ採取手段１３４は、発信情報を要求した情報受信端末１１３を特定して、ＲＳＳ利用情報記憶部１３９を更新する。
【００２１】
ログ編集手段１３５は、ＲＳＳ利用情報記憶部１３９に記憶されたＲＳＳ利用情報及びログ情報記憶部１４０に記憶されたログ情報に基づいてログを編集する。このとき、ログ編集手段１３５は、必要に応じてドメイン変換情報記憶部１４１に記憶されたドメイン変換情報に基づいて利用者のＩＰアドレスをドメイン名に変換する。これによって、利用者を特定し易くなる。
【００２２】
ログ編集手段１３５で編集されたログは、発信者端末１１１に供給される。発信者端末１１１は、ブラウザ１２３によって情報提供サーバ１１２から提供されたログ解析結果を表示する。なお、発信者はブラウザ１２３により表示されたログ解析結果を参照することにより、有効な発信情報を作成することが可能となる。
【００２３】
図２は情報提供サーバ１１１のデータ関連図を示す。
【００２４】
ログ情報記憶部１４０に記憶されるログ情報は、図２（Ａ）に示すように発信情報を要求した情報受信端末１１３のＩＰアドレス、ログ採取日時、取得したＲＳＳ名、記事名などから構成されている。
【００２５】
ＲＳＳ構成情報記憶部１３８に記憶されるＲＳＳ構成情報は、図２（Ｂ）に示すように情報受信端末１１３により登録されたＲＳＳ名、ＲＳＳのＵＲＩ、記事名、記事のＵＲＩから構成されている。
【００２６】
編集条件情報記憶部１３７に記憶される編集条件情報は、図２（Ｃ）に示すように編集条件が設定されたＲＳＳ名、記事名、及び、条件を適用する参照回数、条件を適用する期間、条件を満たしたときの適用処理などの情報から構成されている。
【００２７】
ＲＳＳ利用情報記憶部１３９に記憶されるＲＳＳ利用情報は、図２（Ｄ）、（Ｅ）に示すようにＲＳＳを利用した情報受信端末１１３毎のログ、及び、利用されたＲＳＳ毎の累積情報などから構成されている。図２（Ｄ）に示されるＲＳＳを利用した情報受信端末１１３毎のログ情報は、ＲＳＳを利用している情報受信端末１１３のＩＰアドレス、利用したＲＳＳ名、記事名、参照回数、最初の参照日時などの情報から構成されている。さらに、図２（Ｅ）に示される利用されたＲＳＳ毎の累積情報は、情報受信端末１１３により利用されたＲＳＳ名、記事名、参照回数などの情報から構成されている。
【００２８】
ドメイン変換情報記憶部１４１に記憶されるドメイン変換情報は、ＲＳＳを利用している情報受信端末１１３のＩＰアドレスとそのドメイン名から構成されている。
【００２９】
情報受信端末１１３は、コンピュータシステムから構成されており、ブラウザソフト１５１、ＲＳＳリーダ１５２がインストールされるともに環境定義情報１５３が設定されている。情報受信端末１１３は、ＲＳＳリーダ１５２により、情報提供サーバ１１２から発信情報を読み取り、ブラウザソフト１５１によって表示する。このとき、設定された環境定義情報１５３に基づいてＲＳＳを取得する処理を実行する。また、取得したＲＳＳのうち所望の記事をクリックすることにより対応する記事を取得する。
【００３０】
〔動作〕
図３、図４は本発明の一実施例の動作説明図を示す。図３は情報発信端末１１１側、図４は情報受信端末１１３側の動作を説明するための図を示している。
【００３１】
まず、情報発信端末１１１側での動作を説明する。
【００３２】
情報発信者は、情報発信端末１１１を利用して、発信情報をＲＳＳ／ＲＤＦで作成し、ステップＳ１−１で情報提供サーバ１１２に登録する。このとき、発信情報に対応する編集条件情報を設定する。
【００３３】
情報提供サーバ１１２は、ステップＳ１−２で情報受信端末１１３のＲＳＳリーダ１５２により発信情報の取り出しが行われると、ＲＳＳ編集手段１３３により編集条件情報記憶部１３７に記憶された編集条件情報に基づいて発信情報が編集される。
【００３４】
図５は編集条件情報記憶部１３７のデータ構成図、図６はＲＳＳ編集手段１３３の動作説明図を示す。
【００３５】
編集条件情報記憶部１３７は、図５に示すようにＲＳＳ名、記事名、適用条件情報から構成されている。また、適用条件情報は、例えば、有効期限、適用開始情報、作成状態情報、削除、差替、追加、変更通知などの項目を有する構成とされている。
【００３６】
図５に示すような編集条件情報が編集条件情報記憶部１３７に設定されている場合には、ＲＳＳ編集手段１３３は、例えば、ＲＳＳ名「新着１」の記事名「記事１１」、「記事１２」に対して図６に示すような編集を行う。
【００３７】
まず、有効期間前において適用開始から１週間経過後、参照回数が１５回の場合には、現状のまま、ＲＳＳ名「新着１」の記事名「記事１１」、「記事１２」が公開される。
【００３８】
また、有効期間前において適用開始から１週間経過後、参照回数が４回の場合には、提要処理「削除」の適用条件「<５」に適合するので、「記事１１」は削除される。なお、このとき、変更通知が「要」とされているので、その通知先である「alarm@a.com」に「記事１１」が削除された旨の通知が行われる。
【００３９】
さらに、有効期間前において適用開始から１週間経過後、参照回数が８回の場合には、適用処理「差替」の適用条件「<１０」に合致するので、「記事１１」が「記事１４」に差し替えられる。なお、このとき、変更通知が「要」とされているので、その通知先である「alarm@a.com」に「記事１１」が「記事１４」に差し替えられた旨の通知が行われる。
【００４０】
また、有効期間前において適用開始から１週間経過後、参照回数が２５回の場合には、適用処理「追加」の適用条件「>２０」に適合するので、ＲＳＳ名「新着１」の「記事１１」、「記事１２」に更に「記事１３」が追加される。なお、このとき、変更通知が「要」とされているので、その通知先である「alarm@a.com」に「記事１３」が追加された旨の通知が行われる。
【００４１】
さらに、例えば、２００６年２月１日以降になると、「記事１１」の有効期間が過ぎるので、ＲＳＳ名「新着１」から「記事１１」が削除される。なお、なお、このとき、変更通知が「要」とされているので、その通知先である「alarm@a.com」に「記事１１」が有効期限を過ぎた旨の通知が行われる。
【００４２】
以上のように編集条件情報記憶部１３７に設定された編集条件に基づいて発信情報記憶部１３６に記憶された記事などの発信情報の編集が行われる。
【００４３】
また、情報提供サーバ１１２は、ログ採取手段１３４でログ採取を行う。採取されたログ情報に基づいてＲＳＳ利用情報記憶部１３９及びログ情報記憶部１４０を更新する。さらに、情報提供サーバ１１２は、ステップＳ１−３で情報発信端末１１１からログ解析要求を受信すると、ログ編集手段１３５によりログ解析要求があった情報発信端末１１１のログ情報を抽出して、編集する。
【００４４】
ログ情報の編集としては、例えば、全体の累積情報、ドメイン毎の詳細情報、時系列情報などが考えられる。
【００４５】
図７はログ情報の編集動作を説明するための図を示す。図７（Ａ）は全体の累積情報、図７（Ｂ）はドメイン毎の詳細情報、図７（Ｃ）は時系列情報を示している。
【００４６】
全体の累積情報は、図７（Ａ）に示されるようにＲＳＳ名、記事名、参照回数から構成されている。全体累積情報は、図２（Ｅ）に示すＲＳＳ毎の累積情報に相当する情報である。全体累積情報により各記事の参照状況を把握できる。
【００４７】
ドメイン毎の詳細情報は、図７（Ｂ）に示されるようにＲＳＳ名、記事名、参照回数、ドメイン名から構成されている。このうち、ＲＳＳ名、記事名、参照回数は図２（Ｄ）に示される端末単位のＲＳＳ利用情報のＲＳＳ名、記事名、参照回数から取得される。また、ドメイン名は、図２（Ｄ）に示される端末単位のＲＳＳ利用情報に含まれるＩＰアドレスをドメイン変換情報記憶部１４１によりドメイン名に変換したものである。ＩＰアドレスをドメイン名に変換することにより、利用者を直感的に把握することができる。
【００４８】
時系列情報は、例えば、図７（Ｃ）に示すようにＲＳＳ名、あるいは、記事名毎の参照回数を時系列的に表現したものであり、図２（Ａ）に示されるログ情報のＲＳＳ名、あるいは、記事名とログ採取日時とから作成される。時系列情報は、例えば、特定のＲＳＳ名、あるいは、記事名の参照回数を所定の時間毎にグラフ状にしたものである。これによって、時間帯毎の記事の参照状況を把握できる。
【００４９】
編集されたログ情報は、ステップＳ１−４で情報発信端末１１１に供給される。情報発信端末１１１では、情報提供サーバ１１２からのログ編集結果を受信して、ブラウザ１２３により表示する。発信者は、表示されたログ編集結果を参照することにより、発信情報の参照状況を把握することができる。これによって、有効な発信情報を提供することが可能となる。
【００５０】
次に図４を用いて情報受信端末１１３側での動作を説明する。
【００５１】
ステップＳ２−１で利用者により利用者情報、ＲＳＳのＵＲＩなどの環境定義情報１５３が登録され、ステップＳ２−２でＲＳＳリーダ１５２によりＲＳＳ取り出し処理が行われると、情報提供サーバ１１２はログ採取手段１３４によりＲＳＳ名、記事名、利用情報などのログ情報が採取され、ステップＳ２−３で採取したログ情報によりＲＳＳ利用情報記憶部１３９及びログ情報記憶部１４０を更新する。
【００５２】
情報提供サーバ１１２は、ステップＳ２−４でＲＳＳ編集手段１３３によりＲＳＳ利用情報記憶部１３９、ログ情報記憶部１４０に記憶されたＲＳＳ利用情報及びログ情報に基づいて発信情報記憶部１３６を更新する。
【００５３】
情報提供サーバ１１２は、ステップＳ２−５で情報受信端末１１３からの要求に応じてＲＳＳ情報を情報受信端末１１３にダウンロードする。情報受信端末１１３は、ステップＳ２−６で利用者によりＲＳＳ内の記事がクリックされると、ステップＳ２−７でＲＳＳリーダ１５２により情報提供サーバ１１２に記事を要求する。
【００５４】
情報提供サーバ１１２は情報受信端末１１３から記事が要求されると、ログ採取手段１３４によりステップＳ２−８で要求された記事のログを採取し、採取したログに応じてＲＳＳ利用情報記憶部１３９及びログ情報記憶部１４０を更新し、ステップＳ２−９で記事を情報受信端末１１３にダウンロードする。また、このとき、ＤＮＳを利用してドメイン名の逆引きを行い、ＩＰアドレスからドメイン名を求めるようにしてもよい。
【００５５】
情報受信端末１１３は、ＲＳＳリーダ１５２により情報提供サーバ１１２から提供されたホームページや要約記事などを表示する。これによって、利用者はホームページや要約記事などを参照することが可能となる。
【００５６】
次に、情報発信端末１１１の処理動作を説明する。
【００５７】
図８は情報発信端末１１１の処理フローチャートを示す。
【００５８】
情報発信端末１１１は、ステップＳ３−１で発信者により発信情報を登録するための操作が行われると、ステップＳ３−２でＲＳＳ構成情報を情報提供サーバ１１２に登録し、ステップＳ３−３で編集条件情報を情報提供サーバ１１２に登録し、ステップＳ３−４、Ｓ３−５で少なくともＲＳＳ情報及び記事を含む発信情報を情報提供サーバ１１２に登録する。情報発信端末１１１は、ステップＳ３−６で、全てのＲＳＳ情報及び記事を含む発信情報が情報提供サーバ１１２に登録されると、情報登録処理を終了する。
【００５９】
また、情報発信端末１１１は、ステップＳ３−１で発信者によりログ解析を行う操作が行われると、ステップＳ３−７で情報提供サーバ１１２にログ解析情報を要求する。情報発信端末１１１は、ステップＳ３−８で情報提供サーバ１１２からログ解析情報を受信すると、ステップＳ３−９でブラウザ１２３によりログ解析情報をディスプレイに表示する。
【００６０】
発信者は、情報発信端末１１１のディスプレイに表示されたログ解析情報に基づいて発信しているホームページや要約記事の内容、発信時刻について分析を行い、発信しているホームページや要約記事がより有効に参照されるように登録内容を変更することができる。
【００６１】
情報発信端末１１１は、ステップＳ３−１０で発信者により登録情報が変更されると、ステップＳ３−１１で変更された登録情報を情報提供サーバ１１２に登録する。情報発信端末１１１は、ステップＳ３−１２で発信者の操作によりログ解析が終了する操作が行われると、ログ解析を行う処理を終了する。
【００６２】
次に情報提供サーバ１１２の処理動作を説明する。
【００６３】
図９は情報提供サーバ１１２の処理フローチャートを示す。
【００６４】
情報提供サーバ１１２は、ステップＳ４−１で情報発信端末１１１から登録要求を受信すると、ステップＳ４−２で情報発信端末１１１から供給されたＲＳＳ構成情報を登録し、ステップＳ４−３で情報発信端末１１１から供給された編集条件情報を登録し、ステップＳ４−４、Ｓ４−５で情報発信端末１１１から供給された少なくともＲＳＳ情報及び記事を含む発信情報を登録する。情報提供サーバ１１２は、ステップＳ４−６で、全てのＲＳＳ情報及び記事を含む発信情報が登録されると、情報登録処理を終了する。
【００６５】
情報提供サーバ１１２は、ステップＳ４−７で情報受信端末１１３からログ解析要求を受信すると、ステップＳ４−８でログ解析処理を実行する。
【００６６】
図１０はログ解析処理の処理フローチャートを示す。
【００６７】
ログ解析処理において、情報提供サーバ１１２は、まず、ステップＳ５−１で情報受信端末１１３からのログ解析要求が全体の利用情報か否かを判定する。情報提供サーバ１１２は、ステップＳ５−１で情報発信端末１１１からの要求が全体利用情報の要求である場合には、ステップＳ５−２でＲＳＳ利用情報記憶部１３９からＲＳＳ利用情報を読み出し、図７（Ａ）に示すような全体の利用状況をＨＴＭＬで編集し、ステップＳ５−３で作成した解析情報をログ解析要求があった情報発信端末１１１に送信する。
【００６８】
また、情報提供サーバ１１２は、ステップＳ５−４で情報発信端末１１１からのログ解析要求がドメイン毎の要求である場合には、ステップＳ５−５で図７（Ｂ）に示すような要求されたドメインの詳細情報をＨＴＭＬで編集し、ステップＳ５−３でログ解析要求があった情報発信端末１１１に送信する。
【００６９】
さらに、情報提供サーバ１１２は、ステップＳ５−４で情報発信端末１１１からのログ解析要求がドメイン毎の要求でもない場合には、ステップＳ５−６で図７（Ｃ）に示すようなログ情報を時系列的にＨＴＭＬで編集し、ステップＳ５−３でログ解析要求があった情報発信端末１１１に送信する。
【００７０】
図１１はＲＳＳ取出処理の処理フローチャートを示す。
【００７１】
ＲＳＳ読み取り処理において、情報提供サーバ１１２は、まず、ステップＳ６−１で要求された情報のログを採取する。次に情報提供サーバ１１２は、ステップＳ６−２で現在日時を取得する。情報提供サーバ１１２は、ステップＳ６−３で編集条件情報を参照して、編集条件に適合するか否かを判定する。
【００７２】
情報提供サーバ１１２は、ステップＳ６−３で編集条件に適合しなければ、ステップＳ６−４で
また、情報提供サーバ１１２は、ＲＳＳ編集手段１３３によりステップＳ６−４で情報受信端末１１３から要求されたＲＳＳ構成情報の記事を発信情報記憶部１３６から読み出し、ＲＳＳに組み込む。また、情報提供サーバ１１２は、ステップＳ６−３で編集条件に適合した場合には、記事のＲＳＳへの組み込みは行わず、ステップＳ６−５に移行する。
【００７３】
情報提供サーバ１１２は、ステップＳ６−５でＲＳＳの編集が終了したか否かを判定する。情報提供サーバ１１２は、ステップＳ６−５でＲＳＳの編集が終了していなければ、ステップＳ６−６で次のＲＳＳ構成情報の記事を抽出し、ステップＳ６−３、Ｓ６−４を実行する。
【００７４】
また、情報提供サーバ１１２は、ステップＳ６−５でＲＳＳの編集が終了すると、ステップＳ６−７で作成したＲＳＳを情報受信端末１１３に送信する。
【００７５】
次に情報受信端末１１３の処理動作を説明する。
【００７６】
図１２は情報受信端末１１３の処理フローチャートを示す。
【００７７】
情報受信端末１１３は、ステップＳ７−１で利用者により新規にＲＳＳを利用する操作が行われると、ステップＳ７−２で環境定義情報１５３に新規の登録するＲＳＳのＵＲＩを登録する。
【００７８】
情報受信端末１１３のＲＳＳリーダ１５２は、ステップＳ７−３で情報提供サーバ１１２から環境定義情報１５３に定義されたＲＳＳを取得し、ブラウザ１５１により取得したＲＳＳをディスプレイに表示する。なお、ＲＳＳリーダ１５２は、起動すると、定期的にＲＳＳを取り出す。
【００７９】
情報受信端末１１３のＲＳＳリーダ１５２は、ステップＳ７−４で記事がクリックされると、ステップＳ７−５で記事を表示する。情報受信端末１１３は、ステップＳ７−６でＲＳＳリーダ１５２の利用が終了するか否かを判定しており、利用者によりＲＳＳリーダ１５２の利用が終了する操作が行われるＲＳＳリーダ１５２の処理を終了させる。
【００８０】
本実施例によれば、情報提供サーバ１１２が情報受信端末１１１からＲＳＳの記事の要求があったときに要求元の情報及び要求された記事のログ情報を採取して、記憶しておき、情報発信端末１１１からの要求によりログ情報を全体、あるいは、ドメイン名毎、あるいは、時系列に編集して、情報発信端末１１１に提供することにより、既存のＲＳＳシステムを用いて、簡単な構成で、参照状況の情報を取得することができる。また、取得した参照状況の情報を情報発信端末１１１に提供することにより発信者などに提供することにより、発信者が提供された参照状況の情報を分析して、有効な発信情報を提供することができ、よって、発信情報を充実させることが可能となる。
【００８１】
また、発信者により情報発信端末１１１から編集条件情報を指定し、情報提供サーバ１１２に登録しておくことにより、自動的に発信情報を削除などの編集を行うことも可能となる。
【００８２】
なお、本実施例におけるＲＳＳが本発明の記事要約情報に相当し、対応する記事を要約した要約記事を含み、また、記事要約情報に対応する記事はホームページやプログラム、さらには、それらの集まりに相当するものである。
【００８３】
なお、本発明は上記実施例に限定されるものではなく、本発明の要旨を逸脱しない範囲で各種の変形例が考えられることは言うまでもない。
【図面の簡単な説明】
【００８４】
【図１】本発明の一実施例のシステム構成図である。
【図２】情報提供サーバ１１１のデータ関連図である。
【図３】本発明の一実施例の動作説明図である。
【図４】本発明の一実施例の動作説明図である。
【図５】編集条件情報記憶部１３７のデータ構成図である。
【図６】ＲＳＳ編集手段１３３の動作説明図である。
【図７】ログ情報の編集動作を説明するための図である。
【図８】情報発信端末１１１の処理フローチャートである。
【図９】情報提供サーバ１１２の処理フローチャートである。
【図１０】ログ解析処理の処理フローチャートである。
【図１１】ＲＳＳ取出処理の処理フローチャートである。
【図１２】情報受信端末１１３の処理フローチャートである。
【符号の説明】
【００８５】
１００  情報提供システム
１１１  情報発信端末、１１２  情報提供サーバ、１１３  情報受信端末
１１４  ネットワーク
１２１  発信情報、１２２  編集条件情報、１２３  ブラウザ
１３１  全体制御手段、１３２  ＲＳＳ登録手段、１３３  ＲＳＳ編集手段
１３４  ログ採取手段、１３５  ログ編集手段
１３６  発信情報記憶部、１３７  編集条件情報記憶部
１３８  ＲＳＳ構成情報記憶部
１３９  ＲＳＳ利用情報記憶部、１４０  ログ情報記憶部
１４１  ドメイン変換情報記憶部
１５１  ブラウザ、１５２  ＲＳＳリーダ、１５３  環境定義情報
【図１】
2007241638.tif 000003
【図２】
2007241638.tif 000004
【図３】
2007241638.tif 000005
【図４】
2007241638.tif 000006
【図５】
2007241638.tif 000007
【図６】
2007241638.tif 000008
【図７】
2007241638.tif 000009
【図８】
2007241638.tif 000010
【図９】
2007241638.tif 000011
【図１０】
2007241638.tif 000012
【図１１】
2007241638.tif 000013
【図１２】
2007241638.tif 000014